(57)【要約】      （修正有）【課題】蝋燭の燃焼時の熱が載置面に伝わりにくく、しかも、蝋を最後まで燃焼させることができるうえ、設置安定性に優れているため転倒の虞がなく、台座のデザイン変更も容易でありながら、低コストで作製することのできる燭台を提供する。【解決手段】金属製の台座１０と、この台座１０と着脱可能であって、先端部が蝋燭の穴に挿入される金属製の支持ピン２３を備えた受皿支持体２０と、この受皿支持体２０に支持された金属製の外受皿３０と、この外受皿３０の上方に断熱空気層となる間隙Ｓを介して受皿支持体２０に支持された金属製の内受皿４０と、を備え、支持ピン２３は、その最大外径が蝋燭の穴の内径よりも小さく設定され、外受皿３０は、その投影面積が、内受皿４０のそれよりも十分大きく設定されたものとした。【選択図】図１
2014041739.tif 000002
【特許請求の範囲】
【請求項１】
金属製の台座と、
この台座と着脱可能であって、先端部が蝋燭の穴に挿入される金属製の支持ピンを備えた受皿支持体と、
この受皿支持体に支持された金属製の一つ又は複数の外受皿と、
この外受皿の上方において前記受皿支持体に支持された金属製の内受皿と、
を備え、
前記支持ピンは、その最大外径が前記蝋燭の穴の内径よりも小さく設定され、
前記各受皿は、断熱空気層となる間隙を介して積層状態に設けられ、
前記外受皿のうち少なくとも最下層に位置する外受皿は、その投影面積が、前記内受皿のそれよりも十分大きく設定された、
ことを特徴とする燭台。
【請求項２】
請求項１に記載の燭台において、
前記受皿支持体、外受皿及び内受皿の総重量と台座の重量とのバランス、及び、燭台全体の高さが、燭台全体の重心が前記台座内に存するバランス及び高さに設定されたことを特徴とする燭台。
【請求項３】
請求項１又は２に記載の燭台において、
前記台座、外受皿、及び内受皿は、ステンレスからなることを特徴とする燭台。
【請求項４】
請求項１又は２に記載の燭台において、
前記台座及び外受皿は、ステンレスからなり、前記内受皿は、アルミニウムからなることを特徴とする燭台。
【発明の詳細な説明】
【技術分野】
【０００１】
本発明は、燭台に関し、特に、仏壇や神棚で蝋燭を灯したり、アロマキャンドルを灯したりするのに好適な燭台の改良に関する。
【背景技術】
【０００２】
燭台としては、陶器製のものや真鍮製のものが広く使用されている。陶器製のものはその材質から趣きはあるものの、欠けたり割れたりし易いといった欠点がある。この点、真鍮製のものはそのような欠点はないものの、蝋燭の燃焼時の熱が伝わり易いことから、燭台の載置面が燃えやすい材質のものであったりすると、蝋燭の燃焼中に火事を引き起こしたり、また、使用後に使用者が触れた際に燭台に残った熱で使用者が火傷を負ったりするといった不都合がある。このため、蝋燭を受ける受皿部分を燭台の底面から離したり、或いは受皿の厚みを増したりすることにより、燭台の載置面に熱が伝わりにくくしたものがみられる。しかし、前者にあっては、燭台全体の高さが高くなることから、重心の位置が高くなるため、転倒し易くなって、蝋燭の燃焼中に転倒すると火事を招いてしまうといった問題があった。一方、後者にあっては、燃焼時に溶けた蝋が受皿で冷やされてしまうため、蝋がすべて燃焼せずに受皿に残ってしまうといった問題があった。
【０００３】
この点、例えば特許文献１に開示された燭台にあっては、蝋燭の燃焼時の熱が外部に伝わりにく工夫が施されているため、燭台の載置面から延焼したり、使用者が火傷を負ったりする虞がない。また、受皿が温まり易いものとされているため、蝋をすべて燃焼させることができるものである。
【先行技術文献】
【特許文献】
【０００４】
【特許文献１】特開２００９−２１２００１公報
【発明の概要】
【発明が解決しようとする課題】
【０００５】
しかしながら、上記特許文献１に記載の燭台にあっては、蝋燭の燃焼時の熱が載置面に伝わりにくくするべくセラミックス製の台座を用いているため、その分コストが嵩むとともに、成形のしにくさから台座のデザインの自由度が低いといった不都合があった。
【０００６】
本発明は、係る点に鑑みて創案されたものであり、その目的とするところは、蝋燭の燃焼時の熱が載置面に伝わりにくく、しかも、蝋を最後まで燃焼させることができるうえ、設置安定性に優れているため転倒の虞がなく、台座のデザイン変更も容易でありながら、低コストで作製することのできる燭台を提供することを目的とする。
【課題を解決するための手段】
【０００７】
上記した目的を達成するため、本発明に係る燭台は、金属製の台座と、この台座と着脱可能であって、先端部が蝋燭の穴に挿入される金属製の支持ピンを備えた受皿支持体と、この受皿支持体に支持された金属製の一つ又は複数の外受皿と、この外受皿の上方において前記受皿支持体に支持された金属製の内受皿と、を備え、前記支持ピンは、その最大外径が前記蝋燭の穴の内径よりも小さく設定され、前記各受皿は、断熱空気層となる間隙を介して積層状態に設けられ、前記外受皿のうち少なくとも最下層に位置する外受皿は、その投影面積が、前記内受皿のそれよりも十分大きく設定されたものである。
【０００８】
このような特定事項によれば、すべての受皿同士の間に、断熱空気層となる間隙が存するため、各受皿が金属製であるにも拘らず、外受皿に蝋燭燃焼時の熱が伝わりにくい。特に、外受皿を複数備えた場合は、その分、断熱空気層が多くなるため、より一層外受皿に蝋燭燃焼時の熱が伝わりにくい。また、外受皿に多少なりとも熱が伝わっても、少なくとも最下層に位置する外受皿は内受皿よりもその投影面積が十分大きく設定されていることから、外受皿の表裏両面は広く空気と接することとなって外受皿自体の放熱性が担保される。このため、外受皿に熱が溜まりにくく、また外受皿によって台座への熱の伝導も遮断される。したがって、蝋燭の燃焼中も燃焼後も、使用者が外受皿やその下方の台座に触れても火傷を負わせる虞がなく、また燃焼中の火災の心配もない。さらに、少なくとも最下層に位置する外受皿は内受皿より投影面積が十分大きいため、使用者の手指が不測に内受皿に触れるのを外受皿によって阻止することができ、使用者を火傷から護ることができる。しかも、支持ピンは、その先端部の最大外径が前記蝋燭の穴の内径よりも小さく設定されているため、蝋燭の下端が内受皿に接することとなる。したがって、燃焼の終了間際に比較的高温となった内受皿により蝋が溶解状態に保たれるため、蝋が最後まで燃焼する。また、台座は受皿支持体と着脱可能とされているため、台座を他のデザインのものに容易に交換することができる。さらに、台座は金属製であるため成形が容易であるとともにコストをセラミックに比べて低く抑えることができる。
【０００９】
上記の燭台において、受皿支持体、外受皿及び内受皿の総重量と台座の重量とのバランス、及び、燭台全体の高さが、燭台全体の重心が前記台座内に存するバランス及び高さに設定されているのが望ましい。
【００１０】
この場合、燭台の設置安定性が極めて高いものとなるため、転倒しにくくなる。したがって、蝋燭の燃焼中の転倒による火災の発生を防止することができる。
【００１１】
上記の燭台において、台座、外受皿、及び内受皿は、ステンレス製であってもよい。
【００１２】
この場合、錆びにくいため、長期間に亘り美感を保つことができる。
【００１３】
上記の燭台において、台座及び外受皿は、ステンレス製とし、内受皿は、アルミニウム製としてもよい。
【００１４】
この場合、内受皿の熱伝導性が極めて高いものとなるため、蝋燭の燃焼終了間際に内受皿が高温になり易い。これにより、蝋の溶解状態を確実に保持することができるため、蝋を最後まで燃焼させることができる。
【発明の効果】
【００１５】
本発明によれば、蝋燭の燃焼時の熱が載置面に伝わりにくく、しかも、蝋を最後まで燃焼させることができるうえ、設置安定性に優れているため転倒の虞がなく、台座のデザイン変更も容易でありながら、低コストで作製することのできる燭台を提供することができる。
【図面の簡単な説明】
【００１６】
【図１】本発明の一実施形態に係る燭台を示す一部破断正面図である。
【図２】図１に示す燭台の台座を示し、（ａ）は平面図、（ｂ）は中央縦断面図である。
【図３】図１に示す燭台の受皿支持体を示し、（ａ）は平面図、（ｂ）は正面図である。
【図４】図１に示す燭台の外受皿を示し、（ａ）は平面図、（ｂ）は中央縦端面図である。
【図５】図１に示す燭台の内受皿を示し、（ａ）は平面図、（ｂ）は中央縦端面図である。
【図６】本発明の他の実施形態に係る燭台を示す一部破断正面図である。
【発明を実施するための形態】
【００１７】
以下、本発明に係る燭台の一実施形態について、図面を参照して説明する。
【００１８】
図１は、本発明の一実施形態に係る燭台を示す一部破断正面図、図２は、図１に示す燭台の台座を示し、（ａ）は平面図、（ｂ）は中央縦断面図、図３は、図１に示す燭台の受皿支持体を示し、（ａ）は平面図、（ｂ）は正面図、図４は、図１に示す燭台の外受皿を示し、（ａ）は平面図、（ｂ）は中央縦端面図、図５は、図１に示す燭台の内受皿を示し、（ａ）は平面図、（ｂ）は中央縦端面図である。
【００１９】
この燭台１は、台座１０と、受皿支持体２０と、外受皿３０と、内受皿４０とから構成されている。以下、これら各構成要素について説明する。
【００２０】
台座１０は、例えば、仏壇、神棚、テーブル等の載置面と接するものである。この台座１０の底面１１は、図１及び図２（ｂ）に示すように、前記載置面上に載置された際にがたつきが生じないよう平滑面とされている。一方、台座１０の上面中央部には、図２に示すように、円柱状の突出部１２が形成されるとともに、その中心部には、底面１１に連通する雌ネジ孔１３が刻設されている。突出部１２が形成されていることにより、受皿支持体２０の支持ピン２３を介して熱が台座１０に伝わってきても、この突出部１２が緩衝体となって台座１０に熱がこもるようなことがない。このようになる台座１０は、例えば、ＳＳ４００に代表されるような一般構造用圧延鋼材である鉄鋼材、或いはＳＵＳ３０４に代表されるようなステンレス鋼材から製作される。図示例では、全体が円盤状に成形されているが、形状はこれに限るものではなく、矩形や三角形、多角形といった幾何学形状であっても、また、植物や動物等を象った形状であってもよく、任意の形状とされる。なお、燭台１全体の重心の位置を極力低くするためには、台座１０は扁平な形状が好ましい。
【００２１】
受皿支持体２０は、外受皿３０及び内受皿４０を支持するとともに、蝋燭（図略）を起立状態で支持するものである。この受皿支持体２０は、図３に示すように、台座１０の突出部１２の上面と当接して設けられる基盤部２１と、この基盤部２１の下面中央部から下方に垂設された雄ネジ杆２２と、基盤部２１の上面中央部から立設された支持ピン２３と、この支持ピン２３に外嵌されるスペーサ２４とから構成されている。
【００２２】
基盤部２１の周面には、図３（ａ）に示すように、スパナやレンチといった工具の係合部と係合される一対の平滑な係合面２１ａが相互に平行に形成されている。
【００２３】
雄ネジ杆２２は、台座１０の雌ネジ孔１３と螺合されるものであり、その全長は雌ネジ孔１３の深さよりも短く設定されている。この雄ネジ杆２２を台座１０の雌ネジ孔１３に螺入し、最後に工具の係合部を基盤部２１の係合面２１ａと係合させ工具を回して締め付けることにより、台座１０の突出部１２上に受皿支持体２０が固定される。受皿支持体２０を台座１０から取り外す場合は、それと逆の作業を行えばよい。
【００２４】
支持ピン２３は、蝋燭の下端部に設けられている穴の中に挿入されるものである。この支持ピン２３の最大外径は、蝋燭の穴の内径よりも小さく設定されている。これによって、蝋燭の穴に支持ピン２３を挿入した際、蝋燭の下端が内受皿４０に当接することとなる。
【００２５】
スペーサ２４は、支持ピン２３に挿脱自在に外嵌され、外受皿３０と内受皿４０との間に所定の間隙Ｓを確保するためのものである。このスペーサ２４を、厚み寸法の異なるものと交換することにより、外受皿３０と内受皿４０との間の間隙Ｓを広げたり狭くしたり適宜調整することができる。
【００２６】
以上説明した受皿支持体２０も、台座１０と同様、例えば、ＳＳ４００に代表されるような一般構造用圧延鋼材である鉄鋼材から製作される。なお、台座１０との係合手段は、台座１０との間で着脱できるのであれば、上記したような螺合手段に限るものではない。
【００２７】
外受皿３０は、内受皿４０を下方から覆い、使用者が不測に内受皿４０に触れないようにするとともに、蝋燭の燃焼最終時に受ける熱を放熱するものである。この外受皿３０は、全体が浅い皿状に形成されており、その投影面積が内受皿４０のそれよりも十分大きく設定されるとともに、内受皿４０の外側方を覆うように全周に亘って周壁３１が立ち上げ形成されている。これにより、使用者の手指が不測に内受皿４０に触れるのを阻止することができ、使用者を火傷から護ることができる。また、このように全体が浅い皿状に形成されるとともに周壁３１が形成されているため、表面積を大きくとることができることから、外受皿３０自体の放熱性を高めることができる。また、中心部には、受皿支持体２０の支持ピン２３が挿通される貫通孔３２が形成されており、この貫通孔３２に支持ピン２３を挿通することにより、受皿支持体２０に着脱自在に取り付けられるとともに支持される。このようになる外受皿３０は、台座１０と同様、例えば、ＳＳ４００に代表されるような一般構造用圧延鋼材である鉄鋼材、或いはＳＵＳ３０４に代表されるようなステンレス鋼材から製作される。
【００２８】
内受皿４０は、蝋燭から垂れ落ちてくる蝋を受けるものである。この内受皿４０も、全体が浅い皿状に形成されている。材料としては、台座１０や外受皿３０と同様の金属を採用することもできるが、熱伝導率の高い、例えばアルミニウムが好ましい。内受皿４０に熱伝導率の高い金属を用いた場合、内受皿４０の熱伝導性が極めて高いものとなるため、蝋燭の燃焼終了間際に内受皿４０が高温になり易くなり、これによって、蝋の溶解状態を確実に保持することができ、蝋を最後まで燃焼させることができる。また、中心部には、受皿支持体２０の支持ピン２３が挿通される貫通孔４２が形成されており、この貫通孔４２に支持ピン２３を挿通することにより、受皿支持体２０に着脱自在に取り付けられるとともに支持される。このとき内受皿４０は、受皿支持体２０のスペーサ２４により、外受皿３０の上方に所定の間隙Ｓを隔てて配されることとなる。
【００２９】
以上説明した燭台１によれば、外受皿３０と、蝋燭に接する内受皿４０との間に、断熱空気層となる間隙Ｓが存するため、両者が金属製であるにも拘らず、外受皿３０に蝋燭燃焼時の熱が伝わりにくい。また、外受皿３０に多少なりとも熱が伝わっても、外受皿３０は内受皿４０よりもその投影面積が十分大きく設定されていることから、外受皿３０の表裏両面は広く空気と接することとなって外受皿３０自体の放熱性が担保される。このため、外受皿３０に熱が溜まりにくく、また外受皿３０によって台座１０への熱の伝導も遮断される。したがって、蝋燭の燃焼中も燃焼後も、使用者が外受皿３０やその下方の台座１０に触れても火傷を負わせる虞がなく、また燃焼中の火災の心配もない。さらに、外受皿３０は内受皿４０より投影面積が十分大きいため、使用者の手指が不測に内受皿に触れるのを外受皿によって阻止することができ、使用者を火傷から護ることができる。しかも、支持ピン２０は、その最大外径が蝋燭の穴の内径よりも小さく設定されているため、蝋燭の下端が内受皿４０に接することとなる。したがって、燃焼の終了間際に比較的高温となった内受皿４０により蝋が溶解状態に保たれるため、蝋が最後まで燃焼する。また、台座１０は受皿支持体２０と着脱可能とされているため、台座１０を他のデザインのものに容易に交換することができる。さらに、台座１０は金属製であるため成形が容易であるとともにコストをセラミックに比べて低く抑えることができる。
【００３０】
上記した実施形態では、外受皿３０が１つであったが、本発明はそれに限るものではなく、図６に示すように、２つであってもよいし、図示はしないが、３つ以上であってもよい。
【００３１】
図６は、本発明の他の実施形態を示す一部破断正面図であり、この実施形態においては、上記の実施形態における外受皿３０が最下層に位置し、その上にスペーサ２４を介して第２の外受皿３０Ａが配され、さらにその上に２つ目のスペーサ２４を介して内受皿４０が配されている。第２の外受皿３０Ａは、その投影面積が、最下層の外受皿３０のそれよりも小さく、且つ、内受皿４０のそれよりは大きく設定されている。第２の外受皿３０Ａと内受皿４０との間にさらに第３、第４と外受皿を増やす場合も、各受皿間にスペーサ２４を介すればよい。このように受皿を増やせば増やすほど、断熱空気層が多くなるため、より一層最下層の外受皿３０に蝋燭燃焼時の熱が伝わりにくい。
【産業上の利用可能性】
【００３２】
本発明は、仏壇や神棚で蝋燭を灯したり、アロマキャンドルを灯したりするのに利用できる。
【符号の説明】
【００３３】
１    燭台
１０  台座
２０  受皿支持体
２３  支持ピン
３０、３０Ａ  外受皿
４０  内受皿
【図１】
2014041739.tif 000003
【図２】
2014041739.tif 000004
【図３】
2014041739.tif 000005
【図４】
2014041739.tif 000006
【図５】
2014041739.tif 000007
【図６】
2014041739.tif 000008